(57)【要約】      （修正有）【課題】怪我や高齢化のために浴槽から立ち上がることが困難な人達でも、浴槽の底に座って肩まで浸かり、容易に立ち上がることができる浮き座板式浴槽補助椅子を提供する。【解決手段】椅子の座板と、２本一組でＸ型に組み上げた二組の、椅子の浮き沈みに連動して移動する支柱を有する。座板を上下に分け、上半分の表面に凹凸をつけて、下半分に、支柱や支柱移動用の横軸を水平移動させるレールと、横軸をロックするシャフトを誘導するトンネル、ロック解除用シャフトの設置路をつける。同一方向に動く支柱２本づつの底に近い位置に、自重で沈む重い材料の底梁を付け、座板と底梁の比重差を利用して折り畳まれたＸ型支柱が立ち上がり、座板が浮き上がるようにする。入浴者が浴槽で立ち上がるときに、浮き上がった座板が自動的に固定する装置とロック状態を解除する装置をつける。【選択図】図１
0003160598.tif 000002
【実用新案登録請求の範囲】
【請求項１】
椅子の座板を空洞にするか、合成樹脂を発泡させた浮板使用し、支柱の底側に低重心用の底梁をつけ、Ｘ型に組み合わせた４本の支柱が、上下の比重差によって浮き上がる座板に引っ張られて立ち上がり、入浴者の膝が曲がり易い高さになると支柱が自動的にロックしされて椅子全体を固定し、浴槽から立ち上がることが困難な人たちを容易に立ち上がらせる浮き座椅子式浴槽補助椅子で、椅子の座板を横幅約４００ミリメートル、奥行約３００ミリメートル、厚さは平均約３０ミリメートル、体積約３，６００，０００立方ミリメートルとし、表面を入浴者の臀部に沿うように窪みをつけ、座板が昇降するときに臀部が外れないよう臀部の当たる背後に横幅約２００ミリメートル、高さ約５０ミリメートル、奥行約５０ミリメートルの突起部分をつけ、股間部が当たる座板前面にも横幅約５０ミリメートル、高さ約５０ミリメートル、奥行約４０ミリメートルの突起部分をつけて、いずれも臀部に沿うように丸みを付けた形にし、座板を支える支柱の先端を座板につなぎ、かつ座板の昇降に連動して移動する支柱先端の誘導レール兼用の厚さ約３ミリメートル、長さ約８０ミリメートル、高さ約２５ミリメートルの底向き垂直壁を支柱の先端に合わせて座板の裏側に４箇所、横幅面から内側へ約４５ミリメートル入った位置に設置し、壁の中央に支柱先端と一体化する横軸の誘導レールとして使用する長さ約５０ミリメートル、幅９ミリメートルの長方形の穴をあけ、座板を支える支柱４本は、直径約１５ミリメートル、長さ約３６０ミリメートルの軽量合成樹脂製またはアルミパイプを使用し、２本一組にした二組を座板側の先端から約１５０ミリメートル、底側から約２１０ミリメートルの位置に約５ミリメートルの穴をあけてＸ型に組み合わせ、支柱同士が擦り合わないように肉厚約３ミリメートルのワッシャーを挟んでシャフト用の鋲を通し、支柱が自在に開閉できる程度に両端を押し潰してかしめ、座板の昇降に連動する支柱先端が半円運動によって座板の裏側に接触するのを防ぐために、支柱先端の移動方向に当たる部分を約３ミリメートル斜めに削り取り、先端から約５ミリメートル下がった位置にそれぞれ約８ミリメートルの穴をあけて、直径約８ミリメートル、長さ約２００ミリメートルの横軸をＸ型に組み合わせた内側の支柱２本の穴とレールの穴に通し、Ｘ型支柱の外側２本の穴とレールの穴に長さ約２３０ミリメートルの横軸を通して、それぞれの両端を外側から押し潰してかしめるか割りピンでとめ、入浴者が浴槽の底に座っている時、または収納のために椅子が折り畳たまれて平らになっている時は支柱先端と一体化した横軸がレールの外寄りに、椅子が立ち上がった時は内寄りに止るようにし、支柱４本を底から約２０ミリメートルの位置に直径約８ミリメートルの穴をあけ、重くて湯水に沈む防錆性のある直径約２０ミリメートル、長さは２００ミリメートルと約２３０ミリメートルの底梁２本の両端約２０ミリメートルだけ直径約８ミリメートルに削り、Ｘ型支柱の内側２本の穴に長さ２００ミリメートル、外側２本の穴に長さ２３０ミリメートルの底梁を通して両端を押し潰してかしめるか割りピンでとめ、座板と底梁の比重差によって座板が浮き上がると底が残り、折り畳まれた支柱が座板の浮力に引っ張られて立ち上がり、膝が曲がり易い約３００ミリメートルの高さに座板が浮上して、支柱の先端と一体化した横軸が誘導レールの内側に寄って止った状態を固定する装置として、左右２本の横軸の中央付近から座板の中央部に向けて直角に伸びる長さ約１００ミリメートル、幅約１０ミリメートル、厚さ約１ミリメートルの防錆性があり、自重で沈む重さをもつ横軸固定用シャフトの先端約１０ミリメートルを底方向に折り曲げて、移動する時に先端が誘導軌道の底に垂れ下がって擦る程度の強さにして取り付け、左右の誘導レールの内側に横軸が止った位置から、横軸固定用シャフトを誘導する長さ約８０ミリメートル、幅約１１ミリメートル、高さ約１１ミリメートル、厚さ約１ミリメートルのトンネル軌道を左右に設置し、トンネル軌道の出口が寄り合う場所に造った約１１ミリメートルの空間帯に、横軸固定用シャフトの折り曲げた先端がシャフトの自重で落ち込んで出口に引っかかって横軸が固定され、ロック用シャフトの先端がトンネル軌道出口に落ち込んでいる状態を解除して元の軌道に戻す装置を梃子式にし、座板の横幅前面からトンネル軌道出口に至る長さ約１６０ミリメートル、幅約１０ミリメートル、厚さ約１ミリメートルの防錆性のある自重で沈む重さをもつシャフトを使用して、梃子の支点を座板の横幅側に寄せ、シャフトの自重でトンネル出口側が常時下がっている状態にし、トンネル出口に落ち込むロック用シャフトの先端を待ち受ける形にして、座板側につけたハンドルを下げると梃子式シャフトの先端が上がり、トンネル出口に落ち込んでいるロック用シャフトの先端を押し上げて元の軌道に戻すことによってロック状態が解除され、入浴者がハンドルを離すと梃子式シャフトの先端が梃子の支点の位置とシャフトの自重によって元の位置に下がり、ハンドル側が上がってロック用シャフトの先端を常時待ち受ける形に戻るが、座板の底側に梃子式シャフトの設置路としての窪みをつけ、浮力に関係のない浴槽外の洗い場等でも使用できるように、トンネル出口の空間帯真上の座板に縦穴をあけて、トンネル出口に届く直径約１０ミリメートルの合成樹脂またはアルミ製の長さ約４０ミリメートルの軽量シャフトを差し込み、座板側の先端に約１０ミリメートルの幅を上下するネジを切り、シャフトの頂点にツマミを付けて締めると縦型シャフトが下がってトンネル出口に落ち込んだロック用シャフトの先端につけた縦型シャフトの受け皿を上から押さえて二重にロックし、またネジを緩めるとロックが解除されるようにし、座板を上下に分けて合成樹脂を約３ミリメートルの厚さに硬質化して、下半分を支柱、横軸の誘導レール用の壁、ロック用シャフトの誘導トンネル、梃子式シャフトの支点、梃子式シャフトの設置路の窪みと一体成型し、上半分を臀部に沿う窪み、臀部が外れるのを防ぐ臀部位置前後に設置する凸型部分と一体成型し、上下を重ね合わせて湯水が浸入しない様に接着して中を空洞にし、または合成樹脂を発泡させて一体成型した浮板を座板の上半分として使用して下半分に接着し、いずれかの方法で完成した座板の浮力を利用して、入浴者が浴槽の底に座った状態から腰を少し上げるだけで膝が曲がり易く、力が入り易い高さまで腰を押し上げて椅子を自動的に固定し、独力で立ち上がることが困難な入浴者の立ち上がり動作を容易にする浮き座板式浴槽補助椅子。
【考案の詳細な説明】
【技術分野】
【０００１】  本考案は、足腰に障害があるために一人用浴槽から立ち上がることが困難な人たちが、独力で立つ動作を補助する浴槽補助椅子に関するものである。
【背景技術】
【０００２】  足腰に障害のある人の入浴補助具には「入浴補助椅子」「入浴補助ボード」「浮イス輪」「腰かけ入浴補助具」などの実用新案があるが、ほとんど利用されていないのが実情で、浴槽からの立ち上がり動作を楽にするために、多くの人達は洗い場用の椅子や子供用のパイプ椅子等を浴槽内に持ち込むなどの工夫をしているが、浴槽の底まで座って肩まで湯につかることができない状態である。
【考案の開示】
【考案が解決しようとする課題】
【０００３】  合成樹脂を一体成型して中を空洞にした座板、または合成樹脂を発泡させた浮板の浮力を利用し、足腰に障害のある人でも膝の力を使わずに、浴槽の底に座った状態から膝の屈伸が可能な位置まで腰を持ち上げて、立ち上がり動作を補助する浮き座板式浴槽補助椅子を造る。
【課題を解決するための手段】
【０００４】１．椅子の座板と、２本一組でＸ型に組み上げた二組の支柱先端をつなぎ、かつ椅子の浮き沈みに連動して移動する支柱を固定し、また固定状態を解除する装置の部品の一部を合成樹脂で一体成型する。
２．厚さ約３ミリメートルの硬質化した座板を上下に分け、上と下を重ね合わせて接着して空洞にし、または上半分に合成樹脂を発泡させた浮板を使用し、その浮力を利用する。
３．上半分の座板の表面に凹凸をつけて、入浴者の臀部が外れない形態にする。
４．座板の下半分に、支柱や支柱移動用の横軸を水平移動させるレールと、横軸をロックするシャフトを誘導するトンネル、ロック解除用シャフトの設置路をつけて一体成型する。
５．座板を支える支柱は軽量の合成樹脂成型品またはアルミパイプを使用する。
６．支柱をＸ型に組み合わせて固定せず、座板の浮き沈みに連動して自在に動くようにする。
７．支柱先端の水平移動用に横軸を付ける。
８．同一方向に動く支柱２本づつの底に近い位置に、自重で沈む重い材料の底梁を付け、座板と底梁の比重差を利用して折り畳まれたＸ型支柱が立ち上がり、座板が浮き上がるようにする。
９．入浴者が浴槽で立ち上がるときに、浮き上がった座板が自動的に固定する装置とロック状態を解除する装置をつける。
１０．椅子の固定装置を二重にして、洗い場等の浴槽外でも使用できるようにする。
【考案の効果】
【０００５】１．入浴者が座板に座って、ロック解除用ハンドルを下げると座板が湯水の抵抗でゆっくりと下降し、立つときは腰を少し上げる姿勢になるだけで、座板の浮力が膝の曲がり易い高さまで腰を持ち上げて椅子が固定されるので、足腰に障害のある人でも独力で立ち上がることが容易になる。
２．独力で立ち上がれることが分かると、浴槽の底に安心して座ることができ、ゆっくりと肩まで湯に浸かることができる。
３．二重の固定装置を使えば、洗い場等の浴槽外でも使用できる。
４．使用しないときに折り畳むと、長さ約５５０ミリメートル、幅約４００ミリメートル、高さ約１００ミリメートルの大きさになり、嵩張らないので旅行にも携帯でき大変便利である。
【考案を実施するための最良の形態】
【０００６】１．本考案の浮き座板式浴槽補助椅子の座板は、横幅約４００ミリメートル、奥行約３００ミリメートル、厚さは平均約３０ミリメートル、体積約３，６００，０００立方ミリメートルとし、表面を入浴者の臀部に沿うように窪みを付け、座板が昇降するときに臀部が外れないよう臀部の当たる背後に横幅約２００ミリメートル、高さ約５０ミリメートル、奥行約５０ミリメートルの突起部分をつけ、股間部が当たる座板前面にも横幅約５０ミリメートル、高さ約５０ミリメートル、奥行約４０ミリメートルの突起部分を付け、いずれも臀部に沿うように丸みを付けた形にする。
２．座板を支える支柱の先端を座板につなぎ、かつ座板の昇降に連動して移動する支柱先端の誘導レール兼用の厚さ約３ミリメートル、長さ約８０ミリメートル、高さ約２５ミリメートルの底向き垂直壁を支柱の先端に合わせて座板の裏側に４箇所、横幅面から内側へ約４５ミリメートル入った位置に設置し、壁の中央に支柱先端と一体化する横軸の誘導レールとして使用する長さ約５０ミリメートル、幅８ミリメートル強の長方形の穴をあける。
３．座板を支える支柱４本は、直径約１５ミリメートル、長さ約３６０ミリメートルの軽量合成樹脂製またはアルミパイプを使用し、２本一組にした二組を座板側の先端から約１５０ミリメートル、底側から約２１０ミリメートルの位置に約５ミリメートルの穴をあけてＸ型に組み合わせ、支柱同士が擦り合わないように肉厚約３ミリメートルのワッシャ−を挟んでシャフト用の鋲を通し、支柱が自在に開閉できる程度に両端を押し潰してかしめる。
４．座板の昇降に連動する支柱先端が半円運動によって座板の裏側に接触するのを防ぐために、支柱先端の移動方向に当たる部分を約２ミリメートル斜めに削り取り、先端から約５ミリメートル下がった位置にそれぞれ約８ミリメートルの穴をあけて、直径８ミリメートル、長さ約２００ミリメートルの横軸をＸ型に組み合わせた内側の支柱２本の穴とレールの穴に通し、Ｘ型支柱の外側２本の穴とレールの穴に長さ２３０ミリメートルの横軸を通して、それぞれの両端を外側から押し潰してかしめるか割りピンでとめ、入浴者が浴槽の底に座っている時または収納するために、椅子が折り畳たまれて平らな形になっているときは支柱先端と一体化した横軸がレールの外寄りに、椅子が立ち上がった時は内寄りに止るように設置する。
５．支柱４本を底から約２０ミリメートルの位置に直径約８ミリメートルの穴をあけ、重くて湯水に沈む防錆性のある直径約２０ミリメートル、長さは約２００ミリメートルと約２３０ミリメートルの底梁２本の両端を、約２０ミリメートルだけ直径約８ミリメートルに削り、Ｘ型支柱の内側２本の穴に長さ２００ミリメートル、外側２本の穴に長さ２３０ミリメートルの底梁を通して両端を押し潰してかしめるか割りピンでとめ、座板と底梁の比重差によって座板が浮き上がると底が残り、折り畳まれた支柱が座板の浮力に引っ張られて立ち上がるようにする。
６．膝が曲がり易い約３００ミリメートルの高さに座板が浮上して、支柱の先端と一体化した横軸が誘導レールの内側に寄って止った状態を固定する装置として、左右２本の横軸の中央付近から座板の中央部に向けて直角に伸びる長さ約１００ミリメートル、幅約１０ミリメートル、厚さ約１ミリメートルの防錆性があり、自重で沈む重さをもつ横軸固定用シャフトの先端１０ミリメートルを底方向に折り曲げて、移動するときに先端が誘導軌道の底を垂れ下がって擦る程度の強さにして取り付ける。
７．左右の横軸が誘導レールの内側で止った位置から、横軸固定用シャフトを誘導する長さ約８０ミリメートル、幅約１１ミリメートル、高さ約１１ミリメートル、厚さ約１ミリメートルのトンネル軌道を左右に設置し、トンネル軌道の出口が寄り合う場所に造った約１１ミリメートルの空間帯に、横軸固定用シャフトの折り曲げた先端がシャフトの自重によって落ち込んで出口に引っかかり横軸が固定されるようにする。
８．ロック用シャフトの先端がトンネル軌道出口で落ち込んでいる状態を解除して元の軌道に戻す装置を梃子式にし、座板の横幅前面からトンネル軌道出口に至る長さ約１６０ミリメートル、幅約１０ミリメートル、厚さ１ミリメートルの防錆性のある自重で沈む重さをもつシャフトを使用し、梃子の支点を座板の横幅側に寄せ、シャフトの自重でトンネル出口側が常時下がっている状態にして、トンネル軌道出口に落ち込むロック用シャフトの先端を待ち受ける形を造り、座板側にハンドルをつけてハンドルを下げると梃子式シャフトの先端が上がり、トンネル出口に落ち込んでいるロック用シャフトの先端を押し上げて元の軌道に戻すことによってロック状態を解除し、入浴者がハンドルを離すと梃子式シャフトの先端は梃子の支点の位置とシャフトの自重によって元の位置に下がり、ハンドルが上がって常時ロック用シフトの先端を待ち受ける形に戻るので、ハンドルをとくに固定する必要はないが、梃子式シャフト設置路として座板の裏側に幅約１５ミリメートルの少し傾斜した窪みを付けなければならない。
９．浮力に関係のない浴槽外の洗い場等でも使用できるように、トンネル出口の空間帯真上の座板に縦穴をあけてトンネル出口に届く直径約１０ミリメートルの合成樹脂またはアルミ製の長さ約４０ミリメートルの軽量シャフトを差し込み、座板側の先端に約１０ミリメートルの幅を上下するネジを切り、シャフトの頂点につけたツマミ締めると縦型シャフトが下がってトンネル出口に落ち込んだロック用シャフトの先端につけた縦型シャフトの受け皿を上から押さえて二重にロックし、ネジを緩めるとロックが解除されるようにする。
１０．座板を上下に分けて合成樹脂を約３ミリメートルの厚さに硬質化し、下半分を支柱、横軸の誘導レール、ロック用シャフトの誘導トンネル、梃子式シャフトの設置路の窪み、梃子式シャフトの支点を含めて一体成型し、上半分を入浴者の臀部に沿う窪み、臀部が外れるのを防ぐ臀部位置前後に設置する凸型部分と一体成型し、上下を重ね合わせて湯水が浸入しない様に接着して中を空洞にし、または合成樹脂を発泡させて一体成型した浮板を座板の上半分として使用し下半分にのせて接着するか、いずれかの方法で完成した座板の浮力を利用する。
１１．浴槽を傷つけないように、４本の支柱の底にゴム系のキャップを嵌める。
【実施例】
【０００７】以下の図面に従って説明する。
【図面の簡単な説明】
【０００８】
【図１】座板が浮上し、Ｘ型の支柱が立ち上がって椅子全体が固定された状態を入浴者の背中側から見た座板横幅側の正面図。座板の昇降に連動し、支柱移動用の横軸が誘導レールの内側で止っている状態で、横軸に連動するロック用シャフトの先端がトンネル軌道の出口に落ち込んで、横軸がロックされ、椅子が上下に移動しない状態になっている。座板側から押さえる縦型シャフトは使用されていない状態である。
【図２】座板の下半分の裏側から見た平面図。四隅に垂直壁が配置され、斜線はレール用の穴を示し、ロック用シャフトのトンネル軌道が中央の左右に配置され、右側の斜線は梃子式シャフトの設置路の窪みで、小円は梃子の支点である。
【図３】座板の上半分の平面図。臀部のずれを防ぐために盛り上げた部分を斜線で示しており、点線の内側は臀部に沿った窪みを示している。
【図４】椅子が立ち上がって固定された状態を入浴者の横から見た側面図。４本の支柱は斜めになっている分だけ短く見えており、支柱移動用の横軸はやや細く、支柱の底につけた底梁は太くて重く、座板が浮き上がるときに臀部が外れないように座板の背部を山形に盛り上げ、臀部の形に沿った窪みを点線で示している。横軸のロック装置、梃子式ロック解除装置、縦型ロック装置は点線で示されているが、部分詳細図を参照すること。
【図５】浴槽の底に入浴者が座った時、または収納時に平たく折り畳まれた座板の状態を底側から見た平面図。底向きの垂直型に成形された誘導レールにセットした支柱４本の先端と横軸２本が折り畳まれ、横軸が誘導レールの外側で止っており、低重心用の太い底梁２本が支柱４本の底側に付けられ、支柱先端と連動する横軸の中央に横軸ロック用シャフトが取り付けられて、その先端がトンネル軌道に入って待機状態になっており、左右のトンネル軌道出口で向き会う空間帯で、座板の横幅面にハンドルを付けた横軸のロックを解除する梃子式シャフトの先端も待機状態になっており、梃子の支点がハンドル側に寄っている。
【図６】横軸ロック装置の詳細部分図１。折り曲げられたロック用シャフト先端が左右から寄り合い、シャフトの自重でトンネル軌道の出口に落ち込み、横軸がレールの内側に寄って止っている状態を示している。
【図７】横軸ロック装置の詳細部分図２。トンネル軌道出口に落ち込んだロック用シャフトの先端を梃子式シャフトの先端で持ち上げてロックを解除し、元の軌道に戻した状態を示している。
【図８】ロック解除装置の詳細部分図１。解除装置の待機状態を示す図で、ハンドル側に寄っている梃子式シャフトの支点と、シャフトの自重によってトンネル軌道出口側の先端が下がって、ハンドル側が上がる待機状態を示している。
【図９】ロック解除装置の部分詳細２。梃子式シャフトのハンドルが下げられて、トンネル軌道出口側のシャフトの先端が上がり、トンネル軌道出口に落ち込んでいるロック用シャフトの先端を押し上げて元の軌道に戻した状態を示している。
【図１０】縦型ロック装置の部分詳細図。洗い場などの浴槽外で使用するときに、二重にロックして安全を確保する装置で、シャフトの頂点に付けられたツマミを回してシャフトを下げ、既にトンネル軌道出口に落ちてロック状態になっているロック用シャフトの先端を、更に上から押さえてロックした状態を示している。
【符号の説明】
【０００９】１．座板。
２．座板表面の臀部位置の背部と股間部に付けた凸型成型部分。
３．座板表面の臀部に沿った窪みの成型部分。
４．支柱。
５．Ｘ型に組み合わせる軸鋲。
６．床の傷防止用のゴムキャップ。
７．支柱移動用横軸。
８．低重心用底梁。
９．横軸誘導レール。
１０．角を削り取った支柱の先端。
１１．合成ゴム製ワッシャー。
１２．横軸ロック用シャフト。
１３．ロック用シャフの先端。
１４．ロック用シャフトのトンネル軌道。
１５．トンネル出口。
１６．ロック解除用の梃子式シャフト。
１７．ロック解除用ハンドル。
１８．梃子式シャフトの支点。
１９．梃子式シャフトのロック解除用先端。
２０．梃子式シャフト設置路の断面。
２１．縦型ロックシャフト。
２２．縦型ロックシャフトのツマミ。
２３．縦型ロックシャフトを上下させるネジ。
【図１】
0003160598.tif 000003
【図２】
0003160598.tif 000004
【図３】
0003160598.tif 000005
【図４】
0003160598.tif 000006
【図５】
0003160598.tif 000007
【図６】
0003160598.tif 000008
【図７】
0003160598.tif 000009
【図８】
0003160598.tif 000010
【図９】
0003160598.tif 000011
【図１０】
0003160598.tif 000012